【手続補正書】
【提出日】平成15年7月4日(2003.7.4)
【手続補正１】
【補正対象書類名】明細書
【補正対象項目名】特許請求の範囲
【補正方法】変更
【補正の内容】
【特許請求の範囲】
【請求項１】
（ａ）  単色放射線で照射された時に検出可能なラマンスペクトルを示すラマン検出可能な成分を含むマーキング材料を記録シートに適用して、それによりマークを記録シートに形成し、（ｂ）  記録シートのマークを単色放射線で照射し、そして（ｃ）  マークを単色放射線で照射する時にマークから散乱された放射線のラマンスペクトルを測定することを特徴とする方法であって、前記ラマン検出可能な成分が一般式
【化１】
1997119867.tif 000001
で表され、式中、Ｒ及びＲ’は夫々互いに独立に
【化２】
1997119867.tif 000002
であり、式中、Ａ１  及びＡ２  は夫々互いに独立に水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、またはアジド基であり、Ａ１  及びＡ２  は一緒に結合されてＡ１  及びＡ２  が結合されている窒素原子を含む環を形成してもよく、かつＢ１  、Ｂ２  、Ｂ３  、及びＢ４  は夫々互いに独立に水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、またはアジド基であり、これらのＢ基は一緒に結合されて一つ以上の環
【化３】
1997119867.tif 000003
を形成してもよく、式中、Ｇは水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、及びアジド基からなる群から選ばれ、かつＤ１  、Ｄ２  、Ｄ３  、Ｄ４  、Ｄ５  、Ｄ６  、及びＤ７  は夫々互いに独立に水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、またはアジド基であり、Ｇ基及びこれらのＤ基の二つ以上は一緒に結合されて一つ以上の環または
【化４】
1997119867.tif 000004
を形成してもよく、式中、Ｅ１  及びＥ２  は夫々互いに独立に水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、またはアジド基であり、かつＦ１  、Ｆ２  、Ｆ３  、Ｆ４  、及びＦ５  は夫々互いに独立に水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、またはアジド基であり、これらのＥ基及びＦ基の二つ以上は一緒に結合されて一つ以上の環を形成してもよい、前記方法。
【請求項２】
前記記録シートが紙である、請求項１に記載の方法。
【請求項３】
前記記録シートが透明シートである、請求項１に記載の方法。
【請求項４】
前記記録シート上に英数字画像を形成する請求項１に記載の方法であって、ラマン検出可能な成分を含むマーキング材料を使用して該英数字画像を生成する、前記方法。
【請求項５】
前記記録シート上に英数字画像を形成する請求項１に記載の方法であって、前記ラマン検出可能な成分を含むマーキング材料に含まれるラマン検出可能な成分を実質的に含まない第２のマーキング材料を、ラマン検出可能なマークを有する記録材料に適用することにより、該英数字画像を生成する、前記方法。
【請求項６】
（ａ）  （ｉ）次式
【化５】
1997119867.tif 000005
で表されるスクアライン化合物、及び（ｉｉ）次式
【化６】
1997119867.tif 000006
で表されるスクアライン化合物からなる群から選ばれるラマン検出可能な成分を含むマーキング材料を記録シートに適用し、ここで該ラマン検出可能な成分は単色放射線で照射された時に検出可能なラマンスペクトルを示すものであり、それによりマークを記録シートに形成し、（ｂ）  記録シートのマークを単色放射線で照射し、そして（ｃ）  マークを単色放射線で照射する時にマークから散乱された放射線のラマンスペクトルを測定することを特徴とする方法。
【請求項７】
（ａ）  次式
【化７】
1997119867.tif 000007
（式中、Ｒ及びＲ’は夫々互いに独立に
【化８】
1997119867.tif 000008
であり、式中、Ａ１  及びＡ２  は夫々互いに独立に水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、またはアジド基であり、Ａ１  及びＡ２  は一緒に結合されてＡ１  及びＡ２  が結合されている窒素原子を含む環を形成してもよく、かつＢ１  、Ｂ２  、Ｂ３  、及びＢ４  は夫々互いに独立に水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、またはアジド基であり、これらのＢ基は一緒に結合されて一つ以上の環
【化９】
1997119867.tif 000009
を形成してもよく、式中、Ｇは水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、及びアジド基からなる群から選ばれ、かつＤ１  、Ｄ２  、Ｄ３  、Ｄ４  、Ｄ５  、Ｄ６  、及びＤ７  は夫々互いに独立に水素原子、アルキル基、アリール基、アリールアルキル基、複素環、ハロゲン原子、シアノ基、メルカプト基、ヒドロキシ基、アミン基、イミン基、アンモニウム基、ピリジン基、ピリジニウム基、エーテル基、アルデヒド基、ケトン基、エステル基、アミド基、カルボン酸基、チオカルボニル基、スルフェート基、スルホネート基、スルフィド基、スルホキシド基、ホスフィン基、ホスホニウム基、ホスフェート基、ニトリル基、ニトロソ基、ニトロ基、スルホン基、アシル基、酸無水物基、またはアジド基であり、Ｇ基及びこれらのＤ基の二つ以上は一緒に結合されて一つ以上の環を形成してもよい。）
で表されるラマン検出可能な成分を含むマーキング材料を記録シートに適用し、ここで該ラマン検出可能な成分は単色放射線で照射された時に検出可能なラマンスペクトルを示すものであり、それによりマークを記録シートに形成し、（ｂ）  記録シートのマークを単色放射線で照射し、そして（ｃ）  マークを単色放射線で照射する時にマークから散乱された放射線のラマンスペクトルを測定することを特徴とする方法。
【請求項８】
（ａ）  次式
【化１０】
1997119867.tif 000010
で表されるラマン検出可能な成分を含むインキを記録シートに適用し、ここで該ラマン検出可能な成分はＮｄ：ＹＡＧレーザーからの単色放射線で照射された時に検出可能なラマンスペクトルを示すものであり、それによりマークを記録シートに形成し、ここで該インキは、該インキをインキジェット印刷装置に導入する工程及びインキの液滴を形成して記録シートに像様パターンで放出する工程を含む方法によって記録シートに適用され、（ｂ）  記録シートのマークをＮｄ：ＹＡＧレーザーからの単色放射線で照射し、そして（ｃ）  マークをＮｄ：ＹＡＧレーザーからの単色放射線で照射する時にマークから散乱された放射線のラマンスペクトロメーターにおけるラマンスペクトルを測定することを特徴とする方法。